(57)【要約】【課題】本発明は、距離測定システムに関する。【解決手段】距離測定システムは、距離測定センサと、記憶装置と、処理装置と、を備える。距離測定センサは、対象の目と１つ以上の物体との間の視距離を測定するように構成され、配置される。記憶装置は、測定視距離集合に測定視距離を記憶するように構成される。処理装置は、測定視距離集合から、測定視距離の統計分布を決定するように構成される。【選択図】図１
2019513519.tif 000002
【特許請求の範囲】
【請求項１】
距離測定システム（１）であって、
対象の目と１つ以上の物体との間の視距離を測定するように構成され、配置された距離測定センサ（５）と、
測定視距離集合に測定視距離を記憶するように構成された記憶装置（７）と、
前記測定視距離集合から、前記測定視距離の統計分布を決定するように構成された処理装置（１０）と、
を備える前記距離測定システム。
【請求項２】
前記距離測定センサ（５）の観視方向に対する前記対象の視線方向を検出するように構成され、配置された視線監視装置（１５）を更に備え、前記処理装置（１０）が、前記距離測定センサ（５）の観視方向に対する前記対象の視線方向に基づいて、前記測定視距離集合から前記測定視距離を統計的に重み付けするか、選択するか又は破棄するように構成される、請求項１に記載の距離測定システム。
【請求項３】
動きセンサ（２０）、例えば加速度計及びジャイロスコープを更に備え、前記動きセンサ（２０）が、対象の身体、例えば対象の頭の動きを測定するように構成され、配置され、前記処理装置（１０）が、測定された動きに基づいて、前記測定視距離集合から前記測定視距離を統計的に重み付けするか、選択するか又は破棄するように構成される、請求項１又は２に記載の距離測定システム。
【請求項４】
前記距離測定センサ（５）の観視方向における周囲光、光強度及び／又はスペクトル成分を測定するように構成され、配置された周囲光センサ（２５）を更に備え、前記処理装置（１０）が、測定された周囲光、光強度及び／又はスペクトル成分に基づいて、前記測定視距離集合から前記測定視距離を統計的に重み付けするか、選択するか又は破棄するように構成される、請求項１から３の何れか一項に記載の距離測定システム。
【請求項５】
ユーザ入力を受信するように構成されたユーザインタフェース（３０）を更に備え、前記処理装置（１０）が、前記ユーザ入力に基づいて、前記測定視距離集合から前記測定視距離を重み付けするか、選択するか又は破棄するように構成される、請求項１から４の何れか一項に記載の距離測定システム。
【請求項６】
前記距離測定システム（１）が、眼鏡、眼鏡のフレームに搭載されるように構成され、及び／又は対象の頭に取り付けられるように構成される、請求項１から５の何れか一項に記載の距離測定システム。
【請求項７】
前記処理装置（１０）が、前記測定視距離の統計分布に統計的方法を適用することによって、目標屈折率を算出するように構成される、請求項１から６の何れか一項に記載の距離測定システム。
【請求項８】
白内障手術での屈折ソリューションの選択及びカスタマイズにおける、請求項１から７の何れか一項に記載の距離測定システムの使用。
【請求項９】
距離測定方法であって、
距離測定システム（１）の距離測定センサ（５）によって、対象の目と１つ以上の物体との間の視距離を測定するステップ（Ｓ１０）と、
記憶装置（７）によって、測定視距離集合に測定視距離を記憶するステップ（Ｓ７）と、
前記距離測定システム（１）の処理装置（１０）によって、前記測定視距離集合から、前記測定視距離の統計分布を決定するステップ（Ｓ１１）と、
を含む、方法。
【請求項１０】
前記距離測定システム（１）の視線監視装置（１５）によって、前記距離測定センサ（５）の観視方向に対する前記対象の視線方向を検出するステップ（Ｓ１５）と、
前記処理装置（１０）により、前記距離測定センサ（５）の観視方向に対する前記対象の視線方向に基づいて、前記測定視距離集合から前記測定視距離を統計的に重み付けするか、選択するか又は破棄するステップ（Ｓ１６）と、
を更に含む、請求項９に記載の方法。
【請求項１１】
前記距離測定システム（１）の動きセンサ（２０）によって、対象の身体、例えば対象の頭の動きを測定するステップ（Ｓ２０）と、
前記処理装置（１０）により、測定された動きに基づいて、前記測定視距離集合から前記測定視距離を統計的に重み付けするか、選択するか又は破棄するステップ（Ｓ２１）と、
を更に含む、請求項９又は１０に記載の方法。
【請求項１２】
周囲光センサ（２５）によって、前記距離測定センサ（５）の観視方向における周囲光、光強度及び／又はスペクトル成分を測定するステップ（Ｓ２５）と、
前記処理装置（１０）により、測定された周囲光、光強度及び／又はスペクトル成分に基づいて、前記測定視距離集合から前記測定視距離を統計的に重み付けするか、選択するか又は破棄するステップ（Ｓ２６）と、
を更に含む、請求項９から１１の何れか一項に記載の方法。
【請求項１３】
前記距離測定システム（１）のユーザインタフェース（３０）によって、ユーザ入力を受信するステップ（Ｓ３０）と、
前記処理装置（１０）により、前記ユーザ入力に基づいて、前記測定視距離集合から前記測定視距離を重み付けするか、選択するか又は破棄するステップ（Ｓ３１）と、
を更に含む、請求項９から１２の何れか一項に記載の方法。
【請求項１４】
前記処理装置（１０）により、前記測定視距離の統計分布に統計的方法を適用することによって、目標屈折率を算出するステップ（Ｓ３５）を更に含む、請求項９から１３の何れか一項に記載の方法。
【請求項１５】
前記方法が、白内障若しくは屈折矯正手術の前後に、又は、コンタクトレンズ若しくは眼鏡の装着前、装着時又は装着後に実施される、請求項９から１４の何れか一項に記載の方法。
【請求項１６】
請求項１から７の何れか一項に記載の距離測定システム（１）を組み込み及び／又は搭載するように構成され、折り畳むか又は曲げることが可能なフレーム（１３６０、１４６０）。
【請求項１７】
請求項１６に記載のフレーム（１３６０、１４６０）を収納するように構成されたカプセル（１４７０）。
【発明の詳細な説明】
【技術分野】
【０００１】
本発明は、距離測定システム、及び、対象、例えばユーザと、対象の視線方向における１つ以上の物体との間の視距離を測定する方法を対象とする。本装置及び方法によって、測定された視距離の統計分布を決定することができる。
【背景技術】
【０００２】
眼科では、最良の臨床転帰及び患者の満足感を達成する治療法をカスタマイズするために、患者の視力要求を特徴付け、理解することが重要である。
【０００３】
これには、例えば、本来備わっている水晶体が人工眼内レンズ（ＩＯＬ）に置換された、白内障手術のケースがあてはまる。現在の技術の限界により、ＩＯＬは、種々の距離への調節能を欠いている。このため、埋め込まれた単焦点人工水晶体は、屈折目標によって決まる特定の視距離に設定される。その結果、患者の目は特定の視距離に固定され、患者は、他の距離において鮮明に見るために、屈折矯正手段（眼鏡など）を用いる必要がある。または、外科医は、多焦点及び非球面のＩＯＬ、又は角膜屈折矯正手術と組み合わせた白内障手術であり得るプレミアム屈折ソリューション(premium refractive solution)を提案する場合があり、これによって、患者は、視距離集合において許容可能な視機能を維持することができる。患者の視距離要求から導き出される屈折ソリューション及び屈折目標は、患者の選好に基づいて、手術前の外科医とのインタビュー時に選ばれる。患者は外科医に相談し、個人的な習慣、職業、生活習慣及び選好に基づいて、自分の要求について説明する。このため、決定は、患者の習慣及び要求に対する主観的知覚に基づいており、誤った視力要求を反映する場合がある。人工水晶体における屈折矯正の度重なる選択は、日常的に必要とされる調節要求を無視する場合がある。
【０００４】
レーザ屈折矯正手術では、患者の老視を考慮する場合（例えば、老視治療において）、特定の視距離に対する視機能を最適化するように、手術を調整する必要がある。最適化された範囲外の視距離は、妥協することになる。このため、手術計画時に、医療専門家は、特定患者の視覚機能最適化の範囲を更に良好に調整するように、患者の視覚的要求を理解できる必要がある。目の調節機能の制限を考慮する必要がある眼科治療又は処置は、調節機能の制限がこの処置又は他の要因によって生じる場合に関係なく、患者の視覚的習慣及び要求という客観的特徴による恩恵を得る。
【発明の概要】
【発明が解決しようとする課題】
【０００５】
患者は自分自身の主観的知覚に従うため、人工水晶体選択の更に客観的な決定を支援する技術が必要である。
【課題を解決するための手段】
【０００６】
本発明の第１の態様によれば、視距離測定システムは、距離測定センサと、記憶装置（memory unit）と、処理装置（processing unit）と、を備える。距離測定センサは、対象の目、例えばユーザの目と、１つ以上の物体との間の視距離を測定するように構成され、配置される。視距離は、対象の目と、距離測定センサの観視方向における１つ以上の物体との間において測定することができる。記憶装置は、測定視距離集合に測定視距離を記憶するように構成される。処理装置は、測定視距離集合から、測定視距離の統計分布を決定するように構成される。
【０００７】
記憶装置は、接続されたモバイル機器、モバイル又はデスクトップパソコン上において、距離測定システムに、例えば距離測定システムの距離測定装置に配置された記憶装置であり得る。また、記憶装置は、クラウドストレージであるか、又はクラウドストレージの一部でもあり得る。すなわち、記憶装置は、距離測定センサと同じ装置の一部であり、例えば距離測定装置の一部であるか、又は、距離測定センサとは異なる装置の一部であり得る。同様に、処理装置は、距離測定センサ及び／又は記憶装置と同じ装置の一部であり、例えば距離測定装置の一部であるか、又は、距離測定センサ及び／又は記憶装置とは異なる装置の一部であり得る。
【０００８】
活動及び状況認識は、特定の対象又は複数の対象の測定履歴から導き出された統計分布に基づいて、実行することができる。例えば、活動は、種々の対象の信号において同様のシグネチャを有していてもよく、このため、活動を自動的に認識するように、アルゴリズムを開発することができる。
【０００９】
距離測定センサの観視方向は、距離測定センサの感度、又は対象の一般的な若しくは正常な視線方向として理解することができる。このような一般的な又は正常な視線方向では、対象の頭部を１つ以上の物体の方向に変えることができ、距離測定センサの観視方向を対象の視線方向に向けることができる。対象は、距離測定センサを含む装置を装着している人、例えば距離測定装置を装着している人、例えば患者として理解することができる。ユーザは、統計分布を評価する人、例えば、医者などの医療専門家として理解することができる。
【００１０】
距離測定センサは、光センサ、音響センサ又は電磁センサ、例えば、レーザ（ＬＡＳＥＲ）、ソナー（ＳＯＮＡＲ）、ライダ（ＬＩＤＡＲ）又はレーダ（ＲＡＤＡＲ）であり得る。距離測定センサは、光飛行時間型センサ(time-of-flight optical sensor)であり得る。さらに、距離測定センサは、撮像センサであり得る。距離測定システムは、複数の物体の距離を同時に得ることが可能な２つ以上の距離測定センサを含み得る。例えば、２つの距離測定センサは、対象の頭部、眼鏡又は眼鏡のフレームの左右に配置されていてもよい。また、距離測定センサは、三次元の場面を取得するか又は得ることが可能な撮像センサ、例えばカメラ、ダブルカメラシステムのステレオ画像センサ、構造化された照明を有する飛行時間型センサ又は撮像センサでもあり得る。
【００１１】
統計分布は、対象、例えば患者が一定期間にわたって見た、平均及び／又は全体の視距離を示すことができる。一定期間は、１時間以上又は１日以上であり得る。統計分布は、視距離を重み付けすることが可能なヒストグラムの形式にすることができる。例えば、視距離は、その発生頻度に基づいて重み付けされてもよい。統計分布は、対象のフィードバックに基づいて視距離を重み付けすることが可能なヒストグラムの形式にすることができる。重要な期間を延ばすことができる。重要ではない期間を短縮することができる。対象は、有意な期間若しくは重要な期間を強調表示するか若しくは延ばすことができ、又は、無意味な期間若しくは重要ではない期間を短縮することができる。
【００１２】
統計分布は、対象の活動及び状況に基づいて階層化され、それぞれの活動及び状況について別々に示され得る。状況認識統計には、特定の活動及び状況に費やされた時間も含まれ得る。データが白内障手術計画に用いられる場合、統計分布によって、医療専門家は、患者の目に埋め込まれる人工水晶体の正しい屈折力を、更に客観的に選択することができる。状況認識統計によって、医療専門家は、患者に対する特定の状況の重要性に基づいて、屈折ソリューションを選択することができる。
【００１３】
換言すると、統計分布は、医療専門家の意思決定についての更に客観的な根拠を形成する。
【００１４】
距離測定システムは、更に、視線監視装置を備え得る。視線監視装置は、距離測定センサの観視方向に対する対象の視線方向を検出するように構成され、配置される。さらに、処理装置は、距離測定センサの観視方向に対する対象の視線方向に基づいて、測定視距離集合から測定視距離を統計的に重み付けするか、選択するか又は破棄するように構成され得る。更なる遡及分析のために、視線監視測定値を記憶することができる。破棄された測定視距離は、統計分布の決定には無視することができ、このため、測定視距離の統計分布の決定には考慮されない。選択された測定視距離は、特定の取得時間における最も有益な視距離、又は対象の好きな活動時に測定される唯一の測定視距離であり得る。これらの選択された測定視距離は、測定視距離集合における記憶に考慮される唯一の測定視距離と、統計分布に考慮される唯一の測定視距離であり得る。１つの具体例において、対象の視線方向が、距離測定センサの観視方向と平行でない場合には、対象の視線方向は、距離測定センサの観視方向とは実質的に異なると考えることができる。対象の視線方向は、対象の片目の方向と定義することができるが、対象の両目の方向と定義することもできる。
【００１５】
対象の視線方向が距離測定センサの観視方向と実質的に異なる場合に、測定視距離を統計的に重み付けするか、選択するか又は破棄することは、対象の（ここでは患者の）視距離が最も発生しやすい場所を更に良好に示す、という利点を有する。例えば、統計分布の決定には、規定の閾値未満である回数のみ発生する視距離は、考慮されないか、又は少なくともあまり考慮されない。
【００１６】
距離測定センサは、複数の物体の距離を同時に取得するように構成されたセンサアレイ又は撮像センサであり得る。処理装置は、距離測定センサの観視方向に対する対象の視線方向に基づいて、複数の物体から同時に取得された測定視距離集合から、測定視距離を統計的に重み付けするか、選択するか又は破棄することができる。
【００１７】
１つ以上の実施形態において、視線監視装置は、あらゆる視線追跡機能を備え得る。視線の追跡は、通常、注視点（目を向ける場所）、又は頭部に対する目の動きのいずれかを測定する過程として理解される。このため、視線追跡装置は、通常、眼位及び眼球運動を測定する装置である。
【００１８】
さらに、視線監視装置は、対象の目のまばたき、対象の目の動き、対象の目の瞳孔のサイズ、及び／又は水晶体の調節を検出するように構成され、配置され得る。対象の目のまばたき、目の動き、瞳孔のサイズ及び変化は、対象が、見る物体に注意を払っているか否かを示す。安定した光条件(lightning conditions)下での対象の瞳孔の変化、及び対象の視線方向は、調節力の間接的な徴候として有用であり得るとともに、物体又は対象の場面の重要性を示す。物体又は場面を見る間の瞳孔のサイズは、視覚的要求の重み係数として考慮することもできる。瞳孔の収縮は焦点深度(depth of field)を増加させるため、屈折異常の視覚的許容度を増加させるが、このことは、統計分布のデータ分析により説明することができる。
【００１９】
安定した視線方向の水晶体調節力の直接的な測定は、見る物体の場面の重要性を示すものとして有用であり、このため、これを考慮することもできる。
【００２０】
さらに、視線監視装置は、対象の目の光学面から光の反射を検出するように構成され、配置され得る。この光は、外部（周囲の）光源からの、又は、視線監視装置を有する装置、例えば距離測定装置に取り付けられた光源からの光であり得る。角膜の前面及び水晶体の表面からの反射によって、眼球運動を更に正確に決定することができる。同時に、水晶体の表面からの反射を、水晶体の調節変化の測定値に用いることができる。また、視線監視装置は、対象の精神状態、覚醒状態及び眠気を導くように、処理装置の点滅及び開閉のタイミングを決定することもできる。
【００２１】
統計分布の決定に、上述した１つ以上の因子、例えばすべての因子を考慮することができる。この点において、さらに、処理装置は、対象の目のまばたき、対象の目の動き、対象の瞳孔のサイズ及び／又は変化に基づいて、測定視距離を重み付けするか又は破棄するように構成され得る。例えば、処理装置は、対象のまばたきの回数が規定の閾値よりも多い間に／多いときに、又は例えば対象が眠っているときに測定された測定視距離を、１よりも小さな重み係数によって重み付けするか、又は破棄するように構成されていてもよい。代わりに又は加えて、処理装置は、対象の目の動きが規定の閾値よりも速い間に／速いときに測定された測定視距離を、１よりも小さな重み係数によって重み付けするか、又は破棄するように構成されていてもよい。加えて、調節力の徴候としての、安定した光条件下での対象の瞳孔の変化は、統計において考慮されてもよい。このようにして、対象が特定の物体／場面に払う注意を、統計分布の決定に考慮することができる。
【００２２】
一例において、視距離の測定値は、対象の目が閉じるとき、例えばまばたきの間、又は睡眠中に破棄されてもよい。
【００２３】
測定視距離の重み付けは、測定視距離を、優先度を下げる(deprioritizing)１よりも小さな値、例えば０に等しいか又はそれに近い値、そして優先度を上げる(prioritizing)１よりも大きな値により重み付けすることによって、測定視距離の優先度を上げるか又は下げることを含む。
【００２４】
距離測定システムは、更に、動きセンサを備え得る。動きセンサは、例えば、加速度計、ジャイロスコープ、磁力計、高度計、歩数計及び／又は無線位置測定装置(geopositioning device)、又はこれらの組合せであってもよい。動きセンサは、対象の身体、例えば対象の頭の動きを測定するように構成され、配置され得る。さらに、処理装置は、測定された動きに基づいて、測定視距離集合から測定視距離を統計的に重み付けするか、選択するか又は破棄するように構成され得る。
【００２５】
距離測定システムは、更に、周囲光センサを備え得る。周囲光センサは、距離測定センサの観視方向における周囲光、光強度及び／又はスペクトル成分を測定するように構成され、配置され得る。さらに、処理装置は、測定された周囲光、光強度及び／又はスペクトル成分に基づいて、測定視距離集合から測定視距離を統計的に重み付けするか、選択するか又は破棄するように構成され得る。
【００２６】
周囲光センサは、更に、総積算光強度、特定のスペクトル成分及び／又は色相を測定することができる。
【００２７】
距離測定システムは、更に、近接センサを備え得る。近接センサを用いて、距離測定センサを含む装置、例えば距離測定装置が、身体の上に装着されているか否かを検出することができ、それに伴って、この装置を制御することができ、例えば、この装置が身体の上か又は身体に配置されると、自動的に測定を開始することができる。
【００２８】
距離測定システムは、更に、温度及び／又は湿度センサを備え得る。温度及び／又は湿度センサを用いて、対象が日常的に接触する環境、対象の注意、及び対象が定期的に行っている活動を特定することができる。環境は、状況又は状況情報と呼ぶこともできる。
【００２９】
距離測定システムは、更に、ユーザインタフェースを備え得る。ユーザインタフェースは、ユーザ入力を受信するように構成され得る。さらに、処理装置は、ユーザ入力に基づいて、測定視距離集合から測定視距離を重み付けするか、選択するか又は破棄するように構成され得る。ユーザインタフェースは、例えば、タッチディスプレイ、ボタン、トリガ、近接センサ、マイクロホン及び／又はタップ検出器であってもよい。さらに、ユーザ入力は、頭を振ること、目のまばたき、目を細めて見ること、目の動き、手ぶり及び／又は音声コマンドであってもよく、ユーザインタフェースは、動きセンサ若しくは視線監視装置を備えるか、又は動きセンサ若しくは視線監視装置に置き換えられるか、又は動きセンサ若しくは視線監視装置として構成され得る。
【００３０】
ユーザインタフェースは、更に、対象のフィードバック信号を発生させるように構成され得る。このフィードバック信号は、測定された距離に基づいていてもよく、音響インジケータ、視覚インジケータ又は触覚インジケータの形態であり得る。例えば、対象が、不十分な光条件下で本を非常に近付けて読んでいるときに、ユーザインタフェースは、距離測定システム又は接続された携帯電話の振動によって、対象への警報を発生させてもよい。
【００３１】
ユーザ入力によって、患者からフィードバックを得ること、そして、１日を通して重要であるか又は重要ではないと考える活動を評価すること、という利点がもたらされる。
【００３２】
さらに、距離測定システムは、対象が用いる断続的（トリガ型(triggered)）測定モードを含み得る。ユーザ入力は、断続的（トリガ型）測定モードが用いられる場合に、距離測定システムによる視距離の測定を開始するのに用いられ得る。例えば、距離測定システムは、対象によって測定が開始されるときにのみ測定を行ってもよい（スポット測定）。
【００３３】
さらに、距離測定システムは、眼鏡、眼鏡のフレーム、対象の頭の上若しくは対象の頭に装着するフレーム上に搭載されるように構成され、及び／又は対象の頭に取り付けられるように構成され得る。距離測定システムは、眼鏡、対象の頭の上若しくは対象の頭に装着するフレーム、及び／又は眼鏡のフレームに組み込まれるか、又はそれぞれに若しくはそれぞれの上に配置され得る。さらに、距離測定システムは、ストラップによって対象の頭部に、ヘルメット、ヘッドセット、補聴器又はヘッドホンに取り付けることができる。距離測定システムは、ウェアラブル装置として構成されるか、又はウェアラブル装置に取り付けられ得る。また、フレームは、眼鏡に取り付けることが可能である。さらに、フレームは、収納ケース、例えばカプセル内に収まるように、折り畳むか又は曲げることが可能である。
【００３４】
処理装置は、更に、視距離から１つ以上の屈折率要求(refraction requirements)を算出するように構成され得る。屈折率要求は、メートルにより表される視距離の逆数であるジオプトリー（Ｄ）により表すことができる。
【００３５】
さらに、処理装置は、測定視距離の統計分布に統計的方法を適用することによって、目標屈折率(target refraction)を算出するように構成され得る。測定視距離は、必要な屈折率要求を示すことができる。統計的方法は、平均、分散、標準偏差、中間又は最大値であるか、又はこれらを含んでいてもよく、これによって、外科医は、人工水晶体の全体的な最良適合屈折矯正を選択することができる。
【００３６】
第１の態様に係る距離測定システムは、対象の白内障手術の前に用いることができる。対象は、距離測定システムを装着して、情報を収集し、処理装置によって決定された統計分布を抽出することができる。決定された統計分布は、対象の要求を考慮し、対象の目に埋め込まれる人工水晶体の種類及びパラメータの選択及び調整に関する情報を提供する。
【００３７】
距離測定システムの１つの例示的な実施形態は、対象、この例では白内障患者に、ユーザ、この例では白内障外科医又は医療スタッフのサポートメンバーによって装置が提供され、ユーザが、患者のために装置を初期化することができる、というものであり得る。患者は、必要な時間（数日間であり得る。）、装置を装着することができる。装置の装着は、近接センサ及び／又は動きを検出する動きセンサによって認識され得る。距離測定センサは、患者が距離測定システムの距離測定装置を装着したときに連続的に測定を行い、内部又は外部の記憶装置に視距離を記憶することができる。次の訪問時に、患者は装置をユーザに返し、ユーザは記憶装置からデータをダウンロードして、処理装置によって処理させる。次いで、統計分布を用いて、最適な個々の屈折ソリューションを見いだすことができる。別の例示的な実施形態において、患者は、特定の条件又は特定の活動下でトリガ型測定を行うことができる。
【００３８】
本発明の第２の態様によれば、第１の態様に係る距離測定システムは、白内障手術における屈折ソリューションの選択及びカスタマイズに用いることができる。例えば屈折率要求の統計値として示される、第１の態様に係る距離測定システムから収集され決定されたデータは、データベース内で利用可能なレンズの光学特性に基づいて、最適なレンズ又はレンズの組合せ（屈折ソリューション）を選択するのに用いることができる。屈折ソリューションは、両目に埋め込まれ、屈折率要求の統計値に適合している、単一種類の２つのレンズ（単焦点若しくは多焦点）又は、目に埋め込まれ、両眼融合（モノビジョン）によって視力ソリューションを生じる、２つの異なる光学プロファイルを有する２つのレンズであり得る。
【００３９】
同じ方法を用い、人工水晶体の光学プロファイルを調整するか、又は必要な光学プロファイルを有する人工水晶体を製造することによって、カスタマイズを行うことができる。
【００４０】
本発明の第３の態様によれば、距離測定方法が提供される。この方法は、距離測定システムの距離測定センサによって、対象の目、例えばユーザの目と、１つ以上の物体との間の視距離を測定することを含む。視距離は、対象の目と、距離測定センサの観視方向における１つ以上の物体との間において測定することができる。本方法は、更に、距離測定システムの記憶装置によって、測定視距離集合に測定視距離を記憶することを含む。本方法は、更に、距離測定システムの処理装置によって、測定視距離集合から、測定視距離の統計分布を決定することを含む。
【００４１】
本方法は、更に、視線監視装置によって、距離測定センサの観視方向に対する対象の視線方向を検出することを含み、また、本方法は、更に、処理装置により、距離測定センサの観視方向に対する対象の視線方向に基づいて、測定視距離集合から測定視距離を統計的に重み付けするか、選択するか又は破棄することを含み得る。
【００４２】
本方法は、更に、動きセンサによって、対象の身体、例えば対象の頭の動きを測定することを含み得る。本方法は、更に、処理装置により、測定された動きに基づいて、測定視距離集合から測定視距離を統計的に重み付けするか、選択するか又は破棄することを含み得る。
【００４３】
本方法は、更に、距離測定システムの周囲光センサによって、距離測定センサの観視方向における周囲光、光強度及び／又はスペクトル成分を測定することを含み得る。本方法は、更に、処理装置により、測定された周囲光、光強度及び／又はスペクトル成分に基づいて、測定視距離集合から測定視距離を統計的に重み付けするか、選択するか又は破棄することを含み得る。
【００４４】
本方法は、更に、距離測定システムのユーザインタフェースによって、ユーザ入力を受信することを含み得る。本方法は、更に、処理装置により、ユーザ入力に基づいて、測定視距離集合から測定視距離を重み付けするか、選択するか又は破棄することを含み得る。
【００４５】
本方法は、更に、処理装置により、測定視距離の統計分布に統計的方法を適用することによって、目標屈折率を算出することを含み得る。
【００４６】
本方法又は本方法の一部は、コンピュータプログラムによって実施され得る。コンピュータプログラムは、コンピュータシステム上で、又は１つ以上のコンピューティングデバイス上で、例えば、距離測定システムのような装置上で実行されるとき、本明細書に説明されている方法の態様のうちのいずれか１つのステップを実行させるプログラムコード部分を含み得る。コンピュータプログラムは、コンピュータ可読記録媒体に記憶され得るか、又は信号としてダウンロード可能である。
【００４７】
第３の態様に係る方法は、白内障手術の前後に実施され得る。または、方法は、コンタクトレンズ若しくは眼鏡の装着前、装着時又は装着後に実施されてもよい。
【００４８】
第４の態様によれば、フレームが提供される。フレームは、折り畳むか又は曲げることが可能である。フレームは、第１の態様に係る距離測定システムを組み込み及び／又は搭載するように構成される。換言すると、第１の態様に係る距離測定システムをフレームに組み込み及び／又は搭載できるように、フレームが構成され得る。フレームは、更に、処理装置、記憶装置、及び／又は距離測定センサを備え得る。また、フレームは、眼鏡(glasses/spectacles)の上に取り付け可能に構成される。さらに、フレームは、前述の態様に係るユーザインタフェースを備え得る。処理装置は、更に、測定視距離を記憶装置に提供するように構成され得る。
【００４９】
第５の態様によれば、カプセルが提供される。カプセルは、第４の態様に係るフレームを収納するように構成される。記憶装置は、更に、カプセルとフレームが互いに接続するときに／互いに接続されるときに、測定視距離集合を処理装置に提供するように構成され得る。さらに、記憶装置は、フレームがカプセルに内部にあり、そしてカプセルが閉じているときに、測定視距離集合を提供するように構成され得る。カプセルは、インタフェースであって、コンピュータ、タブレット、ラップトップパソコン及び／又はスマートフォンに接続して、測定視距離集合を、ネットワーク、例えばクラウドに提供するように構成されたインタフェースを備え得る。さらに、カプセルは、例えばネットワークへの接続が利用可能になるまで、視距離集合を記憶する記憶装置を備え得る。カプセルは、充電装置、バッテリ及び／又は充電グリッドに接続されるように構成及び配置された、それ自体の充電ユニットを備え得る。カプセルは、距離測定システムに電力を供給するように、距離測定システム及び／又はフレームを充電する充電リード又はアンテナを備え得る。カプセルは、例えば、英数字若しくは図形表示又は状態表示の形態の、ユーザインタフェースとともに、カプセル機能を基本的に制御するボタンを備え得る。
【００５０】
概して、本明細書に説明されている方法の態様のうちのいずれか１つのステップは、１つ以上の適切な構成部品、装置又はユニットにおいて、例えば、距離測定システムの適切な構成部品において、同等に具体化され得る。同様に、距離測定システムに関して説明されている詳細はいずれも、方法として、及び／又は方法を実行するコンピュータプログラムとして具体化され得る。
【００５１】
以下に、図に示されている例示的な実施形態を参照して、本発明を更に説明する。
【図面の簡単な説明】
【００５２】
【図１】本発明に係る距離測定システムの実施形態を概略的に示す。
【図２】本発明に係る距離測定システムの実施形態を概略的に示す。
【図３】距離及び対応する屈折率に対する発生頻度をそれぞれ概略的に示す。
【図４】二次元距離マッピング図と、その基礎となる周囲光強度分布を概略的に示し、マッピングの寸法はセンチメートルであり、半円は近見視力域（５０ｃｍ未満）、中距離視力域（５０〜１００ｃｍ）、及び遠見視力域（１００ｃｍ超）の境界を示す。
【図５】対象の視線の選好に関する二次元図を概略的に示す。
【図６】周囲光強度の分布を概略的に示す。
【図７】眼鏡に配置された図１による距離測定システムの実施形態の使用法を概略的に示す。
【図８】屈折率要求分布及び周囲光の時間履歴を概略的に示す。
【図９】距離測定システムの実施形態によって算出された、種々の活動における屈折率要求の統計分布の例を概略的に示す。
【図１０】特定の要求に関連する屈折率要求及び平均光強度の分布を概略的に示す。
【図１１】最適屈折率要求分布の実現のための、取り得る解決手段を概略的に示す。
【図１２】優先させる視距離の優先メカニズムを概略的に示す。
【図１３】本発明に係る、折り畳むか又は曲げることが可能なフレームの実施形態を概略的に示す。
【図１４】本発明に係るカプセルの実施形態を概略的に示す。
【発明を実施するための形態】
【００５３】
以下の説明では、説明の目的のために、限定されることなく、本発明の十分な理解を提供するように、処理の詳細及びステップなどの特定の詳細を示す。当業者であれば、これらの特定の詳細から逸脱する他の実施形態において、本発明を実施してもよいことが明らかである。
【００５４】
また、当業者であれば、以下に説明する機能が、個々のハードウェア回路を用いて、１つ以上のプロセッサ、例えば、プログラムされたマイクロプロセッサ若しくは汎用コンピュータとともに機能するソフトウェアを用いて、特定用途向け集積回路（ＡＳＩＣ）を用いて、及び／又は１つ以上のデジタル信号プロセッサ（ＤＳＰ）を用いて、実行できることが認識される。さらに、本開示が方法として説明されている場合、コンピュータプロセッサ構成物(computer processor arrangement)、及びプロセッサ構成物に連結された記憶装置構成物において具体化することもでき、記憶装置構成物は、プロセッサ構成物によって実行されたときに、プロセッサ構成物が、本明細書に開示されている方法を実行するか又は制御するように、１つ以上のプログラム又は対応するコードによって符号化されるか、又は１つ以上のプログラム又は対応するコードを記憶することも認識される。
【００５５】
図１は、本発明の実施形態に係る距離測定システム１を概略的に示している。距離測定システム１は、距離測定センサ５と、記憶装置７と、処理装置１０と、を備えている。場合により、距離測定システム１は、視線監視装置１５、動きセンサ２０、周囲光センサ及び／又はユーザインタフェース３０を備える。距離測定システム１の種々の装置５、７、１０、１５、２０、２５は、図１に示されているものと全く同一の装置１において実現することができるか、又は、２つ以上の別個の装置に分散させて、距離測定システム１を構成することができる。ここで、距離測定システム１の更なる詳細を、図２に関して説明する。
【００５６】
図２は、図１の距離測定システムによって実施することができる、本発明による実施形態の方法を概略的に示している。第一に、ステップＳ１０において、距離測定センサ５が、１つ以上の視距離を測定する。これらの距離は、対象と、対象の視線方向における１つ以上の物体との間の距離である。第二に、ステップＳ７において、記憶装置７が、測定視距離集合に測定視距離を記憶する。第三に、ステップＳ１１において、処理装置１０が、測定視距離集合から、測定視距離の統計分布を決定する。
【００５７】
以下に、図２に示されている、一部の任意のステップについて説明する。これらの任意のステップによって、通常、評価が向上し、例えば更に正確になる。例えば、任意のステップＳ１５において、視線監視装置１５は、距離測定センサの方向、例えば観視方向に対する対象の視線方向を検出する。ステップＳ１６において、処理装置１０は、距離測定センサの方向、例えば観視方向に対する対象の視線方向に基づいて、測定視距離集合から測定視距離を統計的に重み付けするか、選択するか又は破棄する。測定視距離を破棄する代わりに、処理装置１０は、有益と見なされる特定の視距離を選択するか、又は対象の好ましい視距離を選択するか、又は、測定視距離を、１よりも小さな若しくは大きな重み係数によって重み付けしてもよい。任意のステップＳ２０において、動きセンサ２０は、対象の身体の動きを測定する。本例では、動きセンサ２０は、加速度計とジャイロスコープとを備えるが、更に、例えば、磁力計、高度計、歩数計又は無線位置測定装置のような異なるセンサを備えていてもよい。任意のステップＳ２１において、処理装置１０は、測定された動きに基づいて、測定視距離集合から測定視距離を統計的に重み付けするか、選択するか又は破棄する。対象の頭部が、少なくとも実質的に安定して測定物体の方に向いている場合、物体は距離を置いて測定され、１以上の係数によって重み付けされる。対象の注意が散漫である場合、例えば、対象の頭部が少なくとも実質的に常に対象の周りを動いているとき、測定された距離は、１よりも小さな係数によって重み付けされるか、又は破棄され、このため、全統計分布において考慮されない。
【００５８】
周囲光センサ２５は、付加的な色センサを用いて拡張することもでき、任意のステップＳ２５において、対象の視線方向の周囲光及び／又は光強度及び／又はスペクトル成分を測定する。処理装置１０は、任意のステップＳ２６において、測定された周囲光、光強度及び／又はスペクトル成分に基づいて、測定視距離集合から測定視距離を統計的に重み付けするか、選択するか又は破棄する。周囲光は、対象の目の調節及び焦点深度に影響を及ぼす。明るい照明下において、対象の瞳孔が収縮し、対象の焦点深度が著しく増加すると、測定視距離は、優先度が下がり、１よりも低い値によって重み付けされる。薄暗い光を考慮する場合、例えば、対象が本を読んでおり、薄暗い照明に関連して周囲光に対応するように、対象の瞳孔が拡張するとき、測定視距離は、優先度が上がり、１よりも高い値によって重み付けされる。
【００５９】
任意のステップＳ３０において、ユーザインタフェース３０は、ユーザ入力を受信する。任意のステップＳ３１において、処理装置１０は、ユーザ入力に基づいて、測定視距離集合から測定視距離を重み付けするか、選択するか又は破棄する。対象は、距離測定システム１、取り付けられた装置、又は距離測定システム１を備えた眼鏡を軽くたたいて、測定視距離を重み付けするか、選択するか又は破棄することができる。さらに、対象の入力は、頭部動きセンサによって検出される、うなずくか又は頭を振るというような頭を動かすこと、視線監視装置によって検出される、対象の動き又は眼球運動であり得る。例えば、対象は、そのように調整された視線監視装置により、破棄された測定結果に直接導き出される、測定する物体から外れて見ることによって、測定視距離を破棄してもよい。別の例は、手を振る手ぶりによって、センサの前に自分の手を置く対象であるか、又は、距離測定システム１の前に自分の手を２、３秒間置いたままにして、測定視距離を破棄するか若しくは重み付けする対象であり得る。
【００６０】
１つ以上の、例えば、すべての前述の重み付け又は破棄ステップは、互いに独立して、又は共通の処理ステップにおいて一緒に実行され得る。
【００６１】
そして、任意のステップＳ３５において、処理装置１０は、測定視距離集合からの測定視距離の統計分布に、統計的方法を適用することによって、目標屈折率を算出する。目標屈折率、人工水晶体の屈折矯正はそれぞれ、以下の図８の屈折率要求図として描写された屈折目標図から導き出される。これらの図は、以下の図３に例示的に描写されている距離発生頻度図からの距離発生頻度測定結果と直接相関する。
【００６２】
図３は、センチメートル（ｃｍ）の距離に対する距離発生頻度図を示している。図３の図は、図２の方法ステップを用いて図１の距離測定システム１によって得ることができる距離発生頻度の例として機能する。発生頻度図は、実際の測定値に基づいた、特定の距離に対する距離発生の確率を示している。距離を屈折率に変換することによって、屈折率統計値を求めることができる。図３の屈折率統計値（分布）を分析することによって、外科医は、片目又は両目に対する屈折率要求図から、目標屈折率又は必要な焦点深度を導き出すことができる。このため、外科医は、例えば、距離測定システム１を一定時間使用したか又は装着していた患者の特定の思考‐焦点曲線(thought-focus-curve)（視距離の関数又は屈折付加としての視力若しくは光学品質）によって特徴付けられた、統計的に最良な適合ＩＯＬを得ることができる。一定時間は数時間又は数日であってもよく、図３の示されているシナリオでは、３０．９時間であることが示されている。この３０．９時間は、患者の距離の１１１４Ｋサンプルをもたらす。この持続時間は、患者によるこのような装置の使用／装着の例示的な平均時間と考えることができる。
【００６３】
図４は、図１の距離測定システム１を装着している人の視野範囲分布の二次元マップを示している。二次元マップは、垂直方向視距離及び水平方向視距離を含む。図は、水平方向に０〜６００ｃｍ、垂直方向に０〜３００ｃｍの水平距離を示している。下側のプロットには、特定の周囲光強度の発生頻度を示す基礎測定値が示されている。上側のプロットの色が濃くなるほど、高い発生率を示す。対象の身体が示され、頭部は、上側の２つのプロットの寸法に合わせて調整される。プロットの強調表示された領域（破線の楕円）は、左から順に、ラップトップパソコンの領域、テレビ画面を示している。右側の拡大図は、勤務日における患者及び患者の好きな活動の更なる結果を示している。この図から理解できるように、例えば、患者がラップトップパソコン又は同種のものを使用していたとき、視距離の短い範囲内において、このため近見視力において、最も高い発生頻度が生じた。図４の具体例では、近見視力において４１％の発生頻度が生じた。例えば、患者が他の人と会話したときは、中程度の範囲（中距離視力）において発生頻度は低く、そして、例えば、患者が前方の窓から見ていたときは、遠方範囲(far range)（遠見視力）において最も低い発生頻度が生じた。
【００６４】
下側の発生頻度図は、ラップトップパソコンを利用しているという活動時、及びテレビを見ているという活動時の、特定周囲光の発生頻度を概略的に示している。距離マップ及び発生頻度図は、図１１及び１２に示されている結果の基礎を構築する。
【００６５】
図５は、患者が自宅で図１の距離測定システム１を装着していたときの、別の二次元距離分布を概略的に示している。左の図は、水平方向に０〜６００ｃｍ、垂直方向に０〜３００ｃｍの距離を示している。右の図は拡大図を示し、患者の好きな活動を破線の楕円によって示している。左から右の領域はそれぞれ、机上の仕事、読書及びコンピュータ画面に対応している。頻繁に実行されるタスクの確率は、濃い黒色により強調表示され、薄い色は、実行頻度の低いタスクを示している。
【００６６】
図６は、図１に係る任意の周囲光センサ２５を有する距離測定システム１によって得られた周囲光に対する距離の発生頻度を概略的に示している。周囲光に関する情報は、距離の発生頻度を重み付けするものと考えることができる。照明条件、例えば、種々の活動時に生じる周囲光及び／又は光強度は、種々の時間において、瞳孔のサイズに影響を及ぼすため、視力要求を変更することができる。さらに、測定視距離の統計分布の更に意味の深い分析を得るように、周囲光に関する情報を、測定視距離を重み付けするか又は破棄するのに用いることができる。対象の活動は、測定視距離に関連して、種々の周囲光に対する日常的な暴露を反映する。この付加的な測定は、患者の日常的な調節要求に対する更に堅牢な客観的解決策を提供する。例えば、２人の患者が同じ距離調節を必要としてもよいが、日常的な習慣を通して異なる周囲光に暴露し、これによって、両方の患者の全体的な屈折率要求が異なるようになる。
【００６７】
図７は、図１の距離測定システム１が取り付けられているか、又は図１の距離測定システム１を備えた眼鏡を装着している患者のシナリオを概略的に示している。図７において、距離測定システム１は、距離範囲センサ(range distance sensor)を有する距離測定装置として実装することができる。患者は注視方向を見るが、センサはこの注視方向に対して感度がよい。このことは、患者の視線方向に対応する感知領域の方向におけるセンサ感度を示す上面図及び側面図に示されている。距離測定センサを有する距離測定装置は、患者の頭の動きとともに動く。このため、患者の頭部方向のラインにおけるあらゆる距離を、サンプリングすることができる。距離測定システム１に含まれる付加的なセンサは、測定視距離に関する収集された情報を、最終的な統計分布において考慮される最も重要な距離のみに集中させやすくする。最終的な統計分布は、最も頻繁に発生した測定視距離を示し、無視できることが判明した測定視距離を無視する。したがって、外科医は、患者と一緒に、人工水晶体に適用される屈折矯正の意味深い選択をすることができる。
【００６８】
図８は、経時的に取得された図３の取得データに応じた、屈折率要求分布（上側のプロット）及び周囲光分布（下側のプロット）の時間履歴の例を概略的に示しており、これによって、図８は、時間軸にわたるデータを示している。色が濃くなるほど、高い発生率を示す。一般的な勤務時間が示されている。−２から−１ジオプトリーの屈折率を有するデスクトップモニタの期間が示されている。１２時４５分から１３時３０分までの昼食時間は、より広い距離のより広い分布（より小さな屈折率）を示している。机上の仕事（１６時２０分から１７時１５分まで）は、距離がより短い期間（より大きな屈折率）として観察される。
【００６９】
図９は、図１の距離測定システム１によって導き出された、４つの異なる例示的な屈折率要求図を示している。種々の例示的な屈折率要求図は、特定の状況に割り当てられる。例えば、患者がＰＣを使用するとき、屈折率要求は、読書のための屈折率要求よりも大きさが小さいが、テレビを見るか又はゴルフをするための屈折率要求よりも大きい。そして、特定の活動の屈折率要求は、患者の個々の選好、希望及び／又は特定の活動に費やされた時間に基づいて、結合された図に統合することができる。このようにして、患者は、特定の活動の優先度を上げるか又は下げることができ、このような特徴によって、患者は、全統計値に対する寄与の重み付けを調整することができる。例えば、患者は、眼鏡への依存が更に高い負担となる場合に、例えば運動を伴うときには、活動を高めることを好んでもよい。対照的に、患者は、視力の質が重大ではない場合に、たとえ患者がこの活動にかなりの時間を費やしているとしても、活動を低下させる意思があってもよい。屈折目標は、手術前に患者と医者との間のインタビューに従って、このように個別化され、そして、ＩＯＬの種類及び特定のパラメータの選択に用いられ得る。このような個々の調整は、全統計値が純粋に時間ベースで評価される場合、このため、活動に基づくデータの階層化がない場合には、不可能である。
【００７０】
図１０は、図４に示されている距離測定値から算出された、屈折率に関連する屈折率要件及び平均光強度を概略的に示している。屈折率−２Ｄのピークは、ラップトップコンピュータの使用に相当し、これは、この特定の対象の最も好ましい距離と考えられ得る。人工水晶体の製造についての更なる考慮事項は、図１１の次の図を用いて抽出することができる。
【００７１】
図１１は、図４及び１０から抽出された最適屈折率要求の実現のための、取り得る解決手段をそれぞれ概略的に示している。この最適屈折率要求曲線の実現は、眼内レンズの焦点通過曲線(through-focus curves)（ＴＦＣ）に基づいており、これは左から右に示されている。左下の最初の図は、多焦点ＩＯＬであって、両目（ＯＤ及びＯＳ）が、−２Ｄと０Ｄの両方の最大屈折矯正を考慮したインプラントを得ている多焦点ＩＯＬの図を示している。下側中央にある２番目の図は、２つの単焦点レンズの図を示しており、片方の目（ＯＤ）が、−２Ｄ目標と一致する単焦点レンズのインプラントを得ているのに対し、もう片方の目（ＯＳ）は、０Ｄ目標と一致する単焦点レンズのインプラントを得ている。０Ｄ目標は、遠見視力と一致する０ジオプトリーを有したピアノレンズ(piano lens)（いわゆる、モノビジョン）に対応する。右下の３番目の図は、２つの単焦点レンズの図を示しており、２番目の図のように、片方の目（ＯＤ）が、単焦点レンズのインプラントを得ているのに対し、もう片方の目（ＯＳ）は、−２から０ジオプトリーの拡張焦点深度を有するレンズのインプラントを得ている。本明細書において決定された統計分布によって、医療専門家は、十分に適した単焦点ＩＯＬ、又は更に良好に適した多焦点ＩＯＬを決定することができる。
【００７２】
図１２は、優先させる視距離の優先メカニズムを概略的に示している。発生頻度図、優先度図及び屈折率要求図が示されている。屈折率要求図は、優先度図と屈折率要求図との組合せから導き出される。発生頻度図では、発生頻度図の下の屈折率要求図に示されている優先度付けフィードバックに基づいて、−２Ｄ付近のピーク（読書）が上昇するが、患者のフィードバックに基づいて優先度が下がった−０．７付近のピーク（ＴＶ）は、最終的な屈折率要求図において下がる。したがって、人工水晶体の更に良好な解決策は、特定の優先度付けの導入によって見いだすことができ、優先度付けの状況は個人ごとに異なり得る。
【００７３】
上の図に示されている距離測定方法及び距離測定システムは、図１３及び１４に示されている実施形態によって、更に向上させることができる。
【００７４】
図１３は、本発明に係る、折り畳み可能又は湾曲可能なフレーム１３６０の実施形態を概略的に示している。フレーム１３６０は、図１及び２に関して説明した距離測定装置と、対応するセンサと、処理装置と、記憶装置と、別個のバッテリとを備えている。フレーム１３６０は、個別に又は処方眼鏡の上に装着することができる。フレーム１３６０は、眼鏡自体を有していない、通常の眼鏡の形状に形成することができる。さらに、フレーム１３６０は、単一のボタンのような、基本的なユーザ入力にふさわしいもの(basic user input possibilities)を備えている。折り畳み可能なフレーム１３６０は、機能状態、例えばＯＫ／エラーを報告することもできる。フレーム１３６０は距離測定システムを備えているため、測定視距離集合は、対応する記憶装置に収集することができる。使用時に特定の対象を更に強化させるために、図１４に示されているように、フレーム１３６０をカプセルと一緒に運ぶことができる。
【００７５】
図１４は、本発明に係るカプセル１４７０の実施形態を概略的に示している。カプセルは、フレーム１４６０を収納することができる。カプセルは、保護理由、データのダウンロード、フレーム１４６０の充電、タブレット／ラップトップパソコン／スマートフォンへのカプセル１４７０の有線又は無線接続に用いられる。このため、フレーム１４６０は、送信装置を単独で必要としないため、軽量化することができる。カプセル１４７０は、それ自体の記憶装置により、複数のセッションに従ってデータを記憶することができる。さらに、カプセル１４７０は、更なる情報、例えばエラーメッセージ／レポートを表示するディスプレイも有し得る。カプセル１４７０は、更に、無線接続、例えば、Bluetooth（登録商標）又は無線ローカルエリアネットワーキングを介して、クラウド上でデータをアップロードするように構成され得る。さらに、カプセル１４７０は、外部の不揮発性データ記憶媒体、例えばメモリカード又はドライブにデータを記憶するように構成され得る。対象が旅行する場合には、カプセル１４７０は、バッテリを挿入するバッテリケースとともに、充電グリッドを介して充電するのに用いられる接点リードを備えている。
【００７６】
図１３及び１４に示されているフレームとカプセルとの組合せによって、対象は、図１に示されている距離測定システムを簡単に持ち歩くことが可能である。そして、対象は、持ち運び中(on the go)及び自らの好みにより、図７に示されている距離測定システムを利用することができる。
【００７７】
本明細書に説明されている技術によって、カスタマイズされたアブレーションプロファイルを決定することができる。最新の屈折レーザは、最新の屈折力（及び／又は角膜曲率、角膜屈折力及び／又は目の全波面収差）、並びに目標屈折力を考慮し、その差に基づいてアブレーションプロファイルを推定する。本明細書に説明されている技術によって、カスタマイズされたアブレーションプロファイルを算出し、目の所望の視覚機能を実現することができる。例えば、これは、拡張焦点深度であってもよい。このため、本明細書に説明されている測定値は、必要な屈折力及び焦点深度を実現する、アブレーションプロファイルの算出への入力として有用であり得る。
【図１】
2019513519.tif 000003
【図２】
2019513519.tif 000004
【図３】
2019513519.tif 000005
【図４】
2019513519.tif 000006
【図５】
2019513519.tif 000007
【図６】
2019513519.tif 000008
【図７】
2019513519.tif 000009
【図８】
2019513519.tif 000010
【図９】
2019513519.tif 000011
【図１０】
2019513519.tif 000012
【図１１】
2019513519.tif 000013
【図１２】
2019513519.tif 000014
【図１３】
2019513519.tif 000015
【図１４】
2019513519.tif 000016
【国際調査報告】
2019513519.tif 000017
2019513519.tif 000018
2019513519.tif 000019